(57)【要約】  ホログラム画像装置は、複数のホログラフィックパネルを含み、各ホログラフィックパネルが、複合ホログラム画像の一部で符号化された透過性パネルを含む。ホログラム画像装置はまた、１又は２以上の入射角から複数のホログラフィックパネルのうちの各ホログラフィックパネルを照射して、複合ホログラム画像を生成するよう構成された１又は２以上の光源を含む。【選択図】図４
2020503560.tif 000002
【特許請求の範囲】
【請求項１】
ホログラム画像装置であって、
複合ホログラム画像の一部で符号化された透過性パネルを各々が有する複数のホログラフィックパネルと、
１又は２以上の入射角から前記複数のホログラフィックパネルの各ホログラフィックパネルを照射するよう構成された１又は２以上の光源と、
を備える、ホログラム画像装置。
【請求項２】
前記複数のホログラフィックパネルのホログラフィックパネルは、隣接する前記ホログラフィックパネルのそれぞれの被写界深度が重なり合うように互いに隣接して配置される、請求項１に記載のホログラム画像装置。
【請求項３】
前記複合ホログラム画像の被写界深度は、前記複数のホログラフィックパネルの少なくとも幾つかのホログラフィックパネルに対応する、請求項１に記載のホログラム画像装置。
【請求項４】
前記複数のホログラフィックパネルの少なくとも１つのホログラフィックパネルは、多チャンネルホログラムとして構成される、請求項１に記載のホログラム画像装置。
【請求項５】
前記複数のホログラフィックパネルのうちの少なくとも１つのホログラフィックパネルの前記透過性パネルが、可視光に対して透過性であるガラスパネルを含む、請求項１に記載のホログラム画像装置。
【請求項６】
前記複数のホログラフィックパネルのうちの少なくとも１つのホログラフィックパネルの前記透過性パネルが、約９０％〜約８０％の光透過性を有するように着色される、請求項１に記載のホログラム画像装置。
【請求項７】
前記複数のホログラフィックパネルのうちの少なくとも１つのホログラフィックパネルの前記透過性パネルが、約８０％〜約７０％の光透過性を有するように着色される、請求項１に記載のホログラム画像装置。
【請求項８】
前記複数のホログラフィックパネルのうちの少なくとも１つのホログラフィックパネルの前記透過性パネルが、約７０％〜約６０％の光透過性を有するように着色される、請求項１に記載のホログラム画像装置。
【請求項９】
前記複数のホログラフィックパネルに動作可能に結合された１又は２以上のアクチュエータを備え、前記１又は２以上のアクチュエータが、前記複数のホログラフィックパネルの配列及び／又は向きを変更するようコントローラにより制御されるように構成される、請求項１に記載のホログラム画像装置。
【請求項１０】
前記１又は２以上の光源に動作可能に結合された１又は２以上のアクチュエータを更に備え、前記１又は２以上のアクチュエータは、前記１又は２以上の入射角を変更するようコントローラによって制御されるように構成される、請求項１に記載のホログラム画像装置。
【請求項１１】
複合ホログラムを形成する方法であって、
隣接するホログラフィックパネル間にギャップが存在するように前記ホログラフィックパネルを互いに隣接して配置するステップであって、前記ギャップは、前記隣接するホログラフィックパネルのそれぞれの被写界深度が互いに重なり合うようなものであるステップと、
１又は２以上の光源を用いて１又は２以上の入射角から前記ホログラフィックパネルを照射して、複合ホログラムを生成するステップと、
を含む、方法。
【請求項１２】
前記ホログラフィックパネルの数を増大させて、前記複合ホログラムの総被写界深度を増大させるステップを含む、請求項１１に記載の方法。
【請求項１３】
コントローラに動作可能に結合された１又は２以上のアクチュエータに前記ホログラフィックパネルのうちの少なくとも１つを結合させて、前記隣接するホログラフィックパネル間の前記ギャップを変更するステップを更に含む、請求項１１に記載の方法。
【請求項１４】
前記ホログラフィックパネルのうちの少なくとも１つのホログラフィックパネルの傾斜角及び／又は前記隣接するホログラフィックパネル間のシフト距離を変更するステップを含む、請求項１３に記載の方法。
【請求項１５】
コントローラに動作可能に結合された１又は２以上のアクチュエータに１又は２以上の光源を結合させて、前記１又は２以上の入射角を変更するステップを含む、請求項１１に記載の方法。
【請求項１６】
複合ホログラム画像の一部のみで符号化された透過性パネルを備え、前記透過性パネルが可視光に対して透過性である、ホログラフィックパネル。
【請求項１７】
前記透過性パネルが、可視光に対して透過性であるガラスパネルを含む、請求項１６に記載のホログラフィックパネル。
【請求項１８】
前記透過性パネルが、約９０％〜約８０％の光透過性を有するように着色される、請求項１６に記載のホログラフィックパネル。
【請求項１９】
前記透過性パネルが、約８０％〜約７０％又は約７０％〜約６０％の光透過性を有するように着色される、請求項１６に記載のホログラフィックパネル。
【請求項２０】
前記透過性パネルが、単一のチャンネルチャンネルホログラム又は多チャンネルホログラムで符号化される、請求項１６に記載のホログラフィックパネル。
【発明の詳細な説明】
【技術分野】
【０００１】
（関連出願の相互参照）
本出願は、２０１６年１２月２７日に出願された「高被写界深度ホログラム」という名称の米国特許仮出願第６２／４３９，３９０号に対する優先権及びその利点を主張するものであり、この特許仮出願は、全体が引用により本明細書に組み入れられる。
【０００２】
本開示は、画像表示、より詳細には、ホログラム画像を表示する装置及び方法に関する。
【背景技術】
【０００３】
本節は、以下に記載及び／又は特許請求される本発明の技法の様々な態様に関係する可能性がある、当技術分野の様々な態様を読者に紹介することを目的とている。ここでの検討内容は、本開示の様々な態様の理解を深めるため、読者に背景情報を提供する一助となると思われる。従って、これらの記載は、従来技術として認められず、この観点から読む必要があることを理解されたい。
【０００４】
ホログラムは、干渉パターンとしてシーンから発せられる光照射野を符号化するホログラフィック媒質（例えば、ホログラフィックパネル又はプリント）を照射することによって生成される。ホログラフィック媒質が光源を用いて適切に照射された場合、干渉パターンは、視差及び遠近などの視覚的奥行きキューを示す３次元（３Ｄ）ホログラム画像に光を回折する。更に、ホログラムは、複数の３Ｄホログラム画像（例えば、多チャンネルホログラム）を含むことができ、各画像は、観測者のそれぞれの位置に対応するか、又は光源の入射角に対応する。最近になって、ホログラム媒体を使用して専用メガネ又は他の中間光学系に頼ることなく見ることができる３Ｄ録画を生成することに関心が高まっている。しかしながら、現行のホログラム技術は、レーザのコヒーレンス長及びホログラフィックパネルの品質などの様々な要因に起因して、被写界深度（ＤＯＦ）が制限される場合があり、これは、ホログラフィックパネルのホログラフィック素子の解像度の限界をもたらす。
【発明の概要】
【０００５】
最初に請求項に記載された本発明の範囲内にある特定の実施形態について以下で検討する。これらの実施形態は、本開示の範囲を限定することを意図するものではない。実際に、本発明の開示内容は、以下で記載される実施形態と同様又は異なることができる様々な形態を含むことができる。
【０００６】
本発明の開示の１つの態様によれば、ホログラム画像装置は、複数のホログラフィックパネルを含み、各ホログラフィックパネルが、複合ホログラム画像の一部で符号化された透過性パネルを含む。ホログラム画像装置はまた、１又は２以上の入射角から複数のホログラフィックパネルのうちの各ホログラフィックパネルを照射して、複合ホログラム画像を生成するよう構成された１又は２以上の光源を含む。
【０００７】
本発明の開示の別の態様によれば、複合ホログラムを形成する方法は、隣接するホログラフィックパネル間にギャップが存在するようにホログラフィックパネルを互いに隣接して配置するステップを含み、ギャップは、隣接するホログラフィックパネルのそれぞれの被写界深度が互いに重なり合うようにする。本方法はまた、１又は２以上の光源を用いて１又は２以上の入射角からホログラフィックパネルを照射して、複合ホログラムを生成するステップを含む。
【０００８】
本発明の開示の別の態様によれば、ホログラフィックパネルは、複合ホログラム画像の一部のみで符号化された透過性パネルを備え、透過性パネルが可視光に対して透過性である。
【０００９】
本開示のこれら及び他の特徴、態様、並びに利点は、図面全体を通じて同様の参照符号が同様の要素を示す添付図面を参照しながら以下の詳細な説明を読むと更に理解できるであろう。
【図面の簡単な説明】
【００１０】
【図１】１つの実施形態による、ホログラフィック画像装置の概略斜視図である。
【図２】１つの実施形態による、複合ホログラム画像を形成するための複数のホログラフィックパネルを含むホログラフィック画像装置の概略斜視図である。
【図３Ａ】本開示の実施形態による、複数のホログラフィックパネルの構成の１つの実施例の図である。
【図３Ｂ】本開示の実施形態による、複数のホログラフィックパネルの構成の実施例の図である。
【図３Ｃ】本開示の実施形態による、複数のホログラフィックパネルの構成の実施例の図である。
【図４】１つの実施形態による、図２のホログラフィック画像装置によって生成された複合ホログラム画像の概略斜視図である。
【図５】１つの実施形態による、図２のホログラフィック画像装置のブロック図である。
【図６】１つの実施形態による、図２のホログラフィック画像装置を使用して複合ホログラムを形成する方法の１つの実施例を例示するフローチャートである。
【図７】１つの実施形態による、図２のホログラフィック画像装置を操作する実施例を例示するフローチャートである。
【発明を実施するための形態】
【００１１】
本開示の１又は２以上の特定の実施形態について以下に説明する。これらの実施形態の簡潔な説明を行うために、本明細書では、実際の実施構成の全ての特徴については説明しないことにする。何れかの技術又は設計プロジェクトと同様に、このような何らかの実際の実施構成の開発において、システム及びビジネスに関連した制約への準拠など、実施構成毎に異なる可能性のある開発者の特定の目標を達成するために、多数の実施時固有の決定を行う必要がある点は理解されたい。更に、このような開発の取り組みは、複雑で時間を要する可能性があるが、本開示の利点を有する当業者にとっては、設計、製作、及び製造の日常的な業務である点を理解されたい。
【００１２】
本発明の種々の実施形態の要素を導入する際に、冠詞「ａ」、「ａｎ」、「ｔｈｅ」、及び「ｓａｉｄ」は、要素の１つ又はそれ以上が存在することを意味するものとする。用語「備える」、「含む」、及び「有する」は、包括的なものであり、記載した要素以外の付加的な要素が存在し得ることを意味する。
【００１３】
上述のように、ホログラフィック媒質（例えば、ホログラフィックパネル又はプリント）を使用して３Ｄ録画を生成することに関心が高まっているが、現行のホログラム技術は、被写界深度（ＤＯＦ）が制限される場合があり、これは、ホログラフィックパネルのホログラフィック素子の解像度の限界をもたらす。このため、ホログラフィックパネル上に生成された何らかの３Ｄ画像は、３Ｄ画像がホログラフィックパネルの表面の平面に接近するときに最も鮮明となり、すなわち、最も焦点が合っており、表面の平面から遠くに離れる画像ほど、不鮮明で焦点外れとなる。３Ｄ画像全体をくっきりとして焦点が合うのを確実にする１つの手法は、コンテンツを限定的な被写界深度内で結合することとすることができる。しかしながら、この手法は、奥行きがあり、臨場感のあるシーンを生成するために必要とされる深度効果を達成するものではないことが現在認識されている。
【００１４】
このことを念頭に置いて、本発明の実施形態は、高ＤＯＦ及び焦点が合った３Ｄホログラフィック画像を生成する装置及び方法に関する。以下でより詳細に論じるように、本発明の実施形態によれば、複合ホログラム画像は、複合ホログラム画像の一部で各々が符号化された複数の実質的に透過性のホログラフィックパネルを使用して形成される。複数のホログラフィックパネルは、互いに隣接して設置され、隣接したホログラフィックパネル間にギャップが存在し、接したホログラフィックパネルのそれぞれのＤＯＦが互いに重なるようになる。複数のホログラフィックパネルのホログラム画像は、合わせて複合ホログラム画像を形成する。各ホログラフィックパネルのホログラムをそれぞれのＤＯＦ内に保持し、ホログラフィックパネルを互いに隣接して積み重ねることによって、複合ホログラム画像のＤＯＦは、ホログラフィック素子の解像度を変えることなく調節可能である。例えば、複合ホログラム画像のＤＯＦは、ホログラフィックパネルの数と共に増大することができる。このため、全体的な奥行き効果は、単一のホログラフィックパネルから可能であるものをはるかに超えることができ、焦点が合った、奥行きがあり臨場感のあるシーンを示すホログラム画像を得ることができる。
【００１５】
図を参照すると、図１は、ホログラフィック画像装置１０の１つの実施形態の斜視図である。例示の実施形態において、ホログラフィック画像装置１０は、焦点が合ったＤＯＦ１６を有するホログラム３Ｄコンテンツ１４で符号化されたホログラフィックパネル又はプリント１２を含む。一部の実施形態において、ホログラフィックパネル１２は、（不透過性材料ではなく）ガラスなどの（例えば、可視光に対して透過性）実質的に透過性の材料を含むことができる。一部の実施形態において、ホログラフィックパネル１２は、（例えば、約９０％〜約８０％、約８０％〜約７０％、約７０％〜約６０％、約６０％〜約５０％、約５０％〜約４０％、約４０％〜約３０％、約３０％〜約２０％など、約９０％〜約６０％の光透過性を有する）着色材料を含むことができる。ホログラフィック画像装置１０はまた、ホログラフィックパネル１２を１又は２以上の入射角（例えば、ホログラフィックパネル１２の面法線に対する角度）から照射するように構成された１又は２以上の光源１８を含む。１又は２以上の光源１８は、専用光源とすることができ、又は空間（例えば、陳列室、ステージ）内の共通の照明システムなど、ホログラフィックパネル１２が配置されている周囲における一体型光源とすることができる。
【００１６】
ホログラフィックパネル１２が１又は２以上の光源１８によって照射される場合、生成されたホログラム画像（例えば、ホログラム３Ｄコンテンツ１４）は、ＤＯＦ１６内で焦点が合っている（例えば、鮮明でくっきり）。ホログラフィックパネル１２は、１チャンネルホログラムとすることができ、又は多チャンネルホログラムとすることができ、ホログラフィックパネル１２が１又は２以上の光源１８の異なる入射角から照射された場合に、又は観測者（色判断関係）がホログラフィックパネル１２を異なる視野角から見た場合に、画像の異なるフレームが示されるようになる。一部の実施形態において、ＤＯＦ１６は、ホログラフィックパネル１２の表面２０から約４００ミリメートル（ｍｍ）（例えば、距離２２は、約２００ｍｍである）及び／又は約ホログラフィックパネル１２より約２００ｍｍ上方及び下方（例えば、距離２４は約２００ｍｍである）とすることができる。上述したように、ホログラフィックパネル１２のＤＯＦは、ホログラフィック素子解像度によって制限され、改善が困難である可能性がある。本発明の実施形態によれば、ホログラムのＤＯＦは、ホログラフィック素子解像度を変えることなく改善することができる。特に、焦点が合った高被写界深度の３Ｄ画像は、以下で論じるように複合ホログラム画像を形成するために複数のホログラフィックパネルを使用して達成できることが現在認識されている。
【００１７】
図２は、ＤＯＦを拡張するためにホログラフィックパネル又はプリント３０のスタック（例えば、複数のホログラフィックパネル）を含むホログラフィック画像装置１０の実施形態の斜視図である。例示の実施形態において、ホログラフィック画像装置１０は、１又は２以上の光源１８、及び隣接したホログラフィックパネル１２間のギャップ３２を有して互いに隣接して積み重ねられ又は配置された複数のホログラフィックパネル１２を含む。ギャップ３２は、面法線又は面外方向で１つのホログラフィックパネル１２の中央部から隣接したホログラフィックパネル１２の中央部までの距離を表すと考えることができる。後で論じるように、ギャップ３２は一定値とすることができ、又は隣接したホログラフィックパネル１２の異なるペアに対して変わる（例えば、増大又は減少する）ことができる。
【００１８】
例示の実施形態では３つのホログラフィックパネル１２のみが示されているが、ホログラフィックパネル３０のスタックは、任意の適切な数のホログラフィックパネル１２を含むことができる。例示の実施形態において、ホログラフィックパネル３０のスタックは、ホログラフィックパネル１２の面法線又は面外方向３４、３６及び３８が同じ方向でほぼ整列され、ホログラフィックパネル１２の縁部４０、４２及び４４もまた互いに対してほぼ整列されるように配置される。しかしながら、他の実施形態において、ホログラフィックパネル１２は、他の相対構成で配置することができる。例えば、図３Ａ、図３Ｂ及び図３Ｃは各々、ホログラフィックパネル３０のスタックの構成の上面図を示し、各ホログラフィックパネル１２の配向は、ギャップ３２、傾斜角、及び／又はシフト又はシフト距離の観点から特徴付けることができる。図示するように、ホログラフィックパネル３０のスタックは、長手方向及び横方向での基準ホログラフィックパネル５６の平面内の面法線５０及び直交軸線５２及び５４を基準として説明することができる。これらの方向は、基準ホログラフィックパネル５６の平行な縁部によって定められる点に留意されたい。より具体的には、１又は２以上のギャップ３２（例えば、方向及び距離）は、基準ホログラフィックパネル５６の面法線５０に対して記述される。１又は２以上の傾斜角は、基準ホログラフィックパネル５６の面法線５０（例えば、それぞれのホログラフィックパネルの面法線と基準ホログラフィックパネル５６の面法線５０の関係）に対して記述される。１又は２以上のシフト（例えば、方向及び距離）は、基準ホログラフィックパネル５６に対して、及び直交軸線５２に対して記述される。
【００１９】
このことを念頭において、図３Ａは、互いに対して傾斜し及び／又はシフトした１又は２以上のホログラフィックパネル１２を有するホログラフィックパネル３０のスタックを示す。図示する実施形態において、ホログラフィックパネル３０のスタックは、基準ホログラフィックパネル５６及び第１及び第２のオフセットホログラフィックパネル６０及び６２を含む。第１のオフセットホログラフィックパネル６０は、傾斜角６４（例えば、第１のオフセットホログラフィックパネル６０の面法線と面法線５０の間の角度）で基準ホログラフィックパネル５６に対して傾斜し、移動６６（例えば、方向及び距離）で基準ホログラフィックパネル５６に対して移動している。第２のオフセットホログラフィックパネル６２は、傾斜角６８（例えば、第２のオフセットホログラフィックパネル６２の面法線と面法線５０との間の角度）で基準ホログラフィックパネル５６に対して傾斜し、移動７０で基準ホログラフィックパネル５６に対して移動している。傾斜角（例えば、傾斜角６４及び６８）は、直交軸線５２又は直交軸線５４に沿って、又はその両方に沿うことができる点に留意されたい。シフト角度６４及び６８は、同じ値又は異なる値を有することができ、シフト６６及び７０は、同じ距離又は異なる距離とすることができる。
【００２０】
図３Ｂは、可変ギャップで配置されたホログラフィックパネル１２を有するホログラフィックパネル３０のスタックを示す。上述したように、ギャップ３２は、面法線５０又は面外方向に隣接したホログラフィックパネル１２の中央部からの距離として記載される。本明細書で、ホログラフィックパネル１２の中央部は、点３３によって示されている。例示の実施形態において、ホログラフィックパネル３０のスタックは、基準ホログラフィックパネル５６及び第１及び第２のオフセットホログラフィックパネル７２及び７４を含む。ホログラフィックパネルは、第１のギャップ７８が基準ホログラフィックパネル５６とホログラフィックパネル７２との間に、第２のギャップ８０がホログラフィックパネル７２及び７４の間にあるように構成されている。第１及び第２のギャップ７８及び８０は、同じ値又は異なる値を有することができる。
【００２１】
図３Ｃは、ギャップなし又は実質的にギャップなしで配置されたホログラフィックパネル１２を有する（例えば、ホログラフィックパネル３０は、直交軸線５２及び５４で整列されている）ホログラフィックパネル３０のスタックを示す。例示の実施形態において、ホログラフィックパネル３０のスタックは、基準ホログラフィックパネル５６及びホログラフィックパネル８２及び８４を含む。ホログラフィックパネル３０は、これらのホログラフィックパネル（例えば、５６、８２及び８４）の中央部３３が直交軸線５２で整列されるように実質的に並んで配置されている。基準ホログラフィックパネル５６とホログラフィックパネル８２と間にシフト８６が、及びホログラフィックパネル８２及び８４間にシフト８８が存在することができる。シフト８６及び８８は、同じ値又は異なる値を有することができる。ホログラフィックパネル３０のスタックは、図３Ａ、図３Ｂ及び図３Ｃ又はその組み合わせで論じたように任意の適切な構成で配置することができることに留意されたい。ホログラフィックパネル３０の異なる構成は、より大きな組み合わされたＤＯＦを達成することができ、焦点が合った奥行きがあり臨場感があるシーンを示す。
【００２２】
図２を再度参照すると、１又は２以上の光源１８は、１又は２以上のそれぞれのホログラフィックパネル１２を１又は２以上の入射角から照射するように構成されている。ホログラフィックパネル１２の各々は、ガラス又は高い透過性を有する同様の材料で作製することができる。一部の実施形態において、ホログラフィックパネル３０のスタックの１又は２以上のホログラフィックパネル１２は、同じか又は異なる透過性（例えば、約９０％〜約８０％、約８０％〜約７０％、約７０％〜約６０％、約６０％〜約５０％、約５０％〜約４０％、約４０％〜約３０％、又は約３０％〜約２０％の光透過性）で着色することができる。一部の実施形態において、ホログラフィックパネル３０のスタックのホログラフィックパネル１２の１又は２以上は、不透過性及び／又は１００％着色することができる。一部の実施形態において、観測者に対するホログラフィックパネル３０のスタック内の第１のホログラフィックパネル１２は、観測者が第１のホログラフィックパネル１２の後方で後続のホログラフィックパネル１２を見ることができるように、実質的に透過性とすることができる。一部の実施形態において、観測者に対するホログラフィックパネル３０のスタック内の最終ホログラフィックパネル１２は、不透過性とすることができる。一部の実施形態において、着色の度合いは、観測者に対してホログラフィックパネル３０のスタック内の最終ホログラフィックパネル１２に向って増加することができる。各ギャップ３２の距離は、効果の所望の深度によって決定されることに留意されたい。このようにして、各ホログラフィックパネル１２のコンテンツ１４（図１を参照されたい）は、それぞれのＤＯＦ内に留まり、ホログラフィックパネル３０のスタックの複合ホログラム画像が、図４に関して検討するように鮮明である（例えば、焦点が合っている）ようになる。
【００２３】
図４は、図２のホログラフィック画像装置１０によって生成された複合ホログラム画像９０の概略斜視図である。例示の実施形態において、ホログラフィックパネル３０のスタックの各ホログラフィックパネル１２は、同じか又は互いと異なるとすることができるホログラム３Ｄコンテンツ１４で符号化することができる。コンテンツ１４の各々は、対応するＤＯＦ１６を有し、ＤＯＦ１６は、各ホログラフィックパネル１２について異なるか又は同じとすることができる。隣接したホログラフィックパネル１２間のギャップ３２が制御され、ホログラフィックパネル１２の第１の画像９２は、重なり領域９６を有して隣接したホログラフィックパネル１２の第２の画像９４と重なるようになっている。本発明の実施形態によれば、第１及び第２の画像９２及び９４の両方は焦点が合っている（例えば、第１の画像９２のＤＯＦは、第２の画像９４のＤＯＦと重なる）。
【００２４】
各ホログラフィックパネル１２のコンテンツ１４を適切な（例えば、ＤＯＦ内の）深度境界内に保つことによって、及び互いに隣接したホログラフィックパネル１２をスタックすることによって、複合ホログラム画像９０は、焦点が合って生成され、高ＤＯＦを有する。特に、複合ホログラム画像９０の全体的な奥行き効果は、ホログラフィック素子解像度を変えることなく調節可能とすることができ、単一のホログラフィックパネル１２から可能な奥行き効果をはるかに超えることができる。例えば、複合ホログラム画像のＤＯＦの全体的な奥行き効果は、ホログラフィックパネル１２の数と共に増大することができる。例示の実施形態において、複合ホログラム画像９０（例えば、第１及び第２の画像９２及び９４の組み合わせ）は、単独で第１の画像９２のＤＯＦ又は第２の画像９４のＤＯＦを超える、第１の画像９２のＤＯＦ及び第２の画像９４のＤＯＦに跨る全体奥行き効果を有する。このため、各ホログラフィックパネル１２、従って、全体としての複合ホログラム画像９０のコンテンツ１４は、全体の複合ホログラム画像９０の深度９８（例えば、結合被写界深度）を通して焦点が合って鮮明なままであろう。
【００２５】
ホログラフィックパネル１２が実質的に透過性か又は少なくとも部分的に透過性であるので、ホログラフィックパネル１２の存在は複合ホログラム画像９０の連続性を阻止又は妨害しないことは理解されるであろう。非制限的な実施例として、シーンを記録して、ホログラフィックパネル３０のスタック上へ符号化し、ホログラフィックパネル１２の各々がシーンの一部を収容するようにすることができる。ホログラフィックパネル３０のスタックは、隣接したホログラフィックパネル１２が適切なギャップ３２で配置された状態で配置され、ホログラフィックパネル３０のスタックが１又は２以上の光源１８によって照射されたときに、各ホログラフィックパネル１２が、複合ホログラム画像９０の一部を形成する画像を生成し、複数の画像が焦点が合った、深みのある、臨場感があるシーンを示すようにする。
【００２６】
図５は、図２のホログラフィック画像装置１０を形成する特定の構成要素のブロック図である。例示の実施形態において、ホログラフィック画像装置１０は、画像システム１０２に動作可能に結合された制御装置１００を含む。画像システム１０２は、上述したようにホログラフィックパネル１２及び１又は２以上の光源１８を含む。画像システム１０２はまた、特定の実施形態において、１又は２以上の光源１８に結合された１又は２以上のアクチュエータ１０４を含むことができ、１又は２以上のアクチュエータ１０４は、コントローラ１００から１又は２以上の命令（例えば、１又は２以上の制御信号）を受信すると、１又は２以上の光源１８の構成又は配向を制御するように構成されている。例えば、１又は２以上のアクチュエータ１０４は、ホログラフィックパネル１２上で１又は２以上の光源１８を移動させ及び／又は１又は２以上の光源１８の１又は２以上の入射角を制御することができる。画像システム１０２はまた、一部の実施形態において、ホログラフィックパネル１２に結合された１又は２以上のアクチュエータ１０６を含むことができる。一部の実施形態において、１又は２以上のアクチュエータ１０６は、コントローラ１００から１又は２以上の命令（例えば、１又は２以上の制御信号）を受信すると、ホログラフィックパネル１２の構成又は配向を制御するように構成されている。例えば、１又は２以上のアクチュエータ１０６は、ホログラフィックパネル１２を移動し、１又は２以上のギャップ（例えば、ギャップ３２、７８及び８０）の値を変え、１又は２以上の傾斜角（例えば、傾斜角６４及び６８）の値を変え、及び／又は図２及び図３に関して論じたように、１又は２以上のシフト（例えば、シフト８６及び８８）の値を変えることができる。１又は２以上のアクチュエータ１０４及び１０６は、適切なアクチュエータ（例えば、流体アクチュエータ、空圧アクチュエータ、電気アクチュエータ、サーマルアクチュエータ又は磁気アクチュエータ、か、又は機械的アクチュエータ）のうちの何れか１つ又は組み合わせとすることができる。
【００２７】
画像システム１０２の様々な動作パラメータの制御を提供するために、コントローラ１００は、プロセッサ１０８、及びプロセッサ１０８に通信上結合されたメモリ１１０（例えば、非一時的なコンピュータ可読媒体／メモリ回路）を含むことができる。コントローラ１００はまた、ユーザが入力を画像システム１０２の制御操作に供給することを可能にするために、プロセッサ１０８及び／又はメモリ１１０に通信上結合されたユーザインターフェース１１２を含むことができる。例えば、入力としては、これらに限定されないが、１又は２以上の光源１８のオン／オフスイッチ、位置及び／又は入射角と、位置、１又は２以上のギャップ（例えば、ギャップ３２、７８及び８０）、１又は２以上の傾斜角（例えば、傾斜角６４及び６８）及び１又は２以上のシフト（例えば、シフト８６及び８８）などのホログラフィックパネル１２の構成とを含むことができる。
【００２８】
プロセッサ１０８は、１又は２以上の特定用途向け集積回路（ＡＳＩＣ）、１又は２以上のフィールドプログラマブルゲートアレイ（ＦＰＧＡ）、１又は２以上の汎用プロセッサ又はその任意の組み合わせを含むことができる。更に、プロセッサという用語は、プロセッサとして当技術分野で称される集積回路のみに限定されず、広義に、コンピュータ、プロセッサ、マイクロコントローラ、マイクロコンピュータ、プログラマブルロジックコントローラ、特定用途向け集積回路及び他のプログラム可能な回路を指す。メモリ１１０は、ランダムアクセスメモリ（ＲＡＭ）など、揮発性メモリ及び／又は読取り専用メモリ（ＲＯＭ）など不揮発性メモリ、光学ドライブ、ハードディスクドライブ又はソリッドステートドライブを含むことができる。メモリ１１０は、１又は２以上の組の命令（例えば、プロセッサ実行可能命令）及び／又は画像システム１０２の動作に関係する動作を実行するように実行されたアルゴリズムを記憶することができる。例えば、メモリ１１０は、１又は２以上の光源１８をオン又はオフする命令、及び／又は上述した方法で１又は２以上のアクチュエータ１０４及び１０６を制御する命令（例えば、１又は２以上の光源１８及びホログラフィックパネル１２の位置、配向及び／又は構成の変更）を記憶することができる。例えば、メモリ１１０は、符号化されたホログラム３Ｄコンテンツ１４の情報及びホログラフィックパネル１２の各々の焦点が合ったＤＯＦ１６など、ホログラフィックパネル１２に関する情報を記憶することができる。例えば、メモリ１１０は、隣接したホログラフィックパネル１２の符号化されたコンテンツ１４が重なって焦点が合っているように、各個のホログラフィックパネル１２のＤＯＦ１６に基づいてホログラフィックパネル１２の構成（例えば、ギャップ、傾斜角及び／又は移動）を判定するアルゴリズムを記憶することができる。このようにして、コントローラ１００は、ホログラフィックパネル１２の照射及び移動に関連した特定の操作方法を実行する特定のプログラムされたアルゴリズム構造を含む画像システムコントローラと考えることができる。
【００２９】
図６は、ホログラフィック画像装置１０を使用して複合ホログラムを形成する方法の実施例を例示するフローチャートである。方法１２０は、（ブロックで表すように）特定のシーケンスで実行される行為を使用して説明されているが、本開示は、記載される行為は、例示するシーケンスと異なるシーケンスで実行することができ、特定の記載した行為は、他の実施形態において省略するか又は実行しないことができることを企図している点を理解されたい。方法１２０は、複数のホログラフィックパネルを提供するステップ（ブロック１２２）を含むことができる。例えば、複数のホログラフィックパネルを提供するステップは、ホログラフィックパネル１２の各々がシーンの一部を収容するようにシーンをホログラフィックパネル３０のスタック上で記録及び／又は符号化するステップを含むことができる。上述したように、ホログラフィックパネル１２は、（不透過性材料ではなく）ガラスなどの実質的に透過性の材料を含むことができる。一部の実施形態において、ホログラフィックパネル１２の少なくとも一部は、（例えば、約９０％〜約８０％、約８０％〜約７０％、約７０％〜約６０％、約６０％〜約５０％、約５０％〜約４０％、約４０％〜約３０％、約３０％〜約２０％の光透過性を有する）着色材料を含むことができる。着色の度合いは、ホログラフィックパネル１２の符号化されたコンテンツの内容に少なくとも部分的に依存することができる。例えば、着色の度合いは、ホログラフィックパネル３０のスタック内の第１のホログラフィックパネル又は最終ホログラフィックパネル（例えば、シーンの縁部又は終了部分を含むホログラフィックパネル）に向って増加することができる。更に、ホログラフィックパネル１２の各々は、１チャンネルホログラム又は多チャンネルホログラムとすることができる。
【００３０】
方法１２０は、複数のホログラフィックパネルを互いに隣接して配置するステップ（ブロック１２４）ことを含むことができる。より具体的には、複数のホログラフィックパネル１２は、ホログラフィックパネル１２の各々がそれぞれのＤＯＦに収まるようにスタック又は配列することができ、ホログラフィックパネルのスタックの複合ホログラム画像が鮮明である（例えば、焦点が合っている）ようにする。例えば、隣接したホログラフィックパネル１２間の配向及び／又は距離（例えば、ギャップ、傾斜角、移動）は、所望の深度効果によって決定付けられる。例えば、隣接したホログラフィックパネル１２間の距離（例えば、ギャップ３２、シフト８６及び８８）は、隣接したホログラフィックパネルのホログラム画像が重なり、隣接したホログラム画像の両方とも焦点が合っているように制御することができる。非制限的な一例として、ホログラフィックパネルのスタックは、図２〜図４に関して論じた方法又はその組み合わせで配置することができる。一部の実施形態において、ブロック１２４は、複数のホログラフィックパネルをアクチュエータに結合するステップ（ブロック１２６）を含むことができる。例えば、複数のホログラフィックパネル１２は、１又は２以上のアクチュエータ１０６に結合して、コントローラ１００から制御信号を受信すると、複数のホログラフィックパネル１２の位置及び／又は配向を変更可能にするすることができる。
【００３１】
方法１２０は、複数のホログラフィックパネルを照射するために光源を配置するステップ（ブロック１２８）を含むことができる。例えば、ブロック１２８は、１又は２以上の光源１８をホログラフィックパネル３０のスタックに近接して配置して、好適な入射角からホログラフィックパネル３０のスタックを照射するステップを含むことができる。１又は２以上の光源１８は、１又は２以上のホログラフィックパネル１２を照射するのに好適な位置及び向きで配置することができる。一部の実施形態において、ブロック１２８は、任意選択的に、光源をアクチュエータに結合するステップ（ブロック１３０）を含むことができる。例えば、１又は２以上の光源１８は、１又は２以上のアクチュエータに結合されて、１又は２以上の光源１８の位置又は向きを変更し、コントローラ１００から制御信号を受信したときに光入射角を変えることを可能にすることができる。一部の実施形態において、他チャンネルホログラフィックパネル１２が異なる入射角から照射されたときに、ホログラム画像の異なるフレームを示すことができる。
【００３２】
方法１２０は、複数のホログラフィックパネルを照射して、複合ホログラム画像を形成するステップ（ブロック１３２）を含むことができる。例えば、１又は２以上の光源１８は、手動で、又はコントローラ１００から制御信号を受信したときにターンオンされて、ホログラフィックパネル３０のスタックを照射して複合ホログラム画像９０を形成する。
【００３３】
図７は、コントローラ１００を用いてホログラフィック画像装置１０を動作させる方法１４０の１つの実施例を例示したフローチャートである。方法１４０は、特定のシーケンスで実行される行為を使用して説明されているが、本開示は、記載される行為は、例示するシーケンスと異なるシーケンスで実行することができ、特定の記載した行為は、他の実施形態において省略するか又は実行しないことができることを企図している点を理解されたい。方法１４０は、コントローラ１００を画像システム１０２に結合するステップ（ブロック１４２）を含むことができる。例えば、コントローラ１００は、１又は２以上の抗原１８、ホログラフィックパネル１２、及び１又は２以上のアクチュエータ１０４及び１０６など、画像システム１０２の種々の構成要素に動作可能に／通信可能に結合される。
【００３４】
図示のように、方法１４０は、ユーザからの入力を受信するステップ（ブロック１４４）を含むことができる。例えば、コントローラ１００は、該コントローラ１００のプロセッサ１０８及び／又はメモリ１１０に結合されたユーザインターフェース１１２を介してユーザからの入力を受信することができる。入力は、１又は２以上の光源１８及び／又はホログラフィックパネル１２の動作パラメータを調整する命令を含むことができる。入力としては、これらに限定されないが、１又は２以上の光源１８のオン／オフスイッチ、位置及び／又は入射角と、位置、１又は２以上のギャップ（例えば、ギャップ３２、７８及び８０）、１又は２以上の傾斜角（例えば、傾斜角６４及び６８）及び１又は２以上のシフト（例えば、シフト８６及び８８）などのホログラフィックパネル１２の構成とを含むことができる。
【００３５】
実際に、ホログラフィック画像の制御を更に提供するために、方法１４０は、ホログラフィックパネル１２の特定の構成を制御するステップ（ステップ１４６）を含むことができる。例えば、コントローラ１００は、１又は２以上のアクチュエータ１０６に命令を送り、パネル１２の配列及び／又は向きに関連するパラメータを変更して、ホログラフィックパネル１２の隣接するホログラム画像の焦点が合うようにすることができる。これらのパラメータは、限定ではないが、１又は２以上のギャップ（例えば、ギャップ３２、７８及び８０）、１又は２以上の傾斜角（例えば、傾斜角６４及び６８）及び１又は２以上の離隔距離（例えば、シフト８６及び８８）、又はこれらの組み合わせを含むことができる。
【００３６】
方法１４０はまた、１又は２以上の光源１８の動作を制御するステップ（ブロック１４８）を含むことができる。例えば、コントローラ１００は、１又は２以上のアクチュエータ１０６に命令を送り、１又は２以上の光源１８の種々の動作パラメータを変更することができる。例えば、動作パラメータは、限定ではないが、それぞれの１又は２以上のホログラフィックパネル１２に対する１又は２以上の光源１８のオン／オフ状態、位置、及び／又は入射角を含むことができる。
【００３７】
本発明の開示の特定の特徴のみを本明細書で例示し説明してきたが、多くの修正及び変更は、当業者には想起されるであろう。従って、添付の請求項は、本発明の真の精神の範囲内にあるこのような変更形態及び変更全てを保護するものであることを理解されたい。
【図１】
2020503560.tif 000003
【図２】
2020503560.tif 000004
【図３Ａ】
2020503560.tif 000005
【図３Ｂ】
2020503560.tif 000006
【図３Ｃ】
2020503560.tif 000007
【図４】
2020503560.tif 000008
【図５】
2020503560.tif 000009
【図６】
2020503560.tif 000010
【図７】
2020503560.tif 000011
【国際調査報告】
2020503560.tif 000012
2020503560.tif 000013
2020503560.tif 000014